(57)【要約】【課題】適応光学を利用して眼底を観察する装置であって、網膜における神経細胞を欠く部位の配列が網膜神経線維走向を反映するものであるかどうかを判定する判定手段をさらに備えることを特徴とする適応光学眼底観察装置を提供すること。【解決手段】適応光学を利用して眼底を観察する装置であって、網膜における神経細胞を欠く部位の配列が網膜神経線維走向を反映するものであるかどうかを判定する判定手段をさらに備えることを特徴とする適応光学眼底観察装置。【選択図】図１
2011200632.tif 000002
【特許請求の範囲】
【請求項１】
適応光学を利用して眼底を観察する装置であって、
網膜における神経細胞を欠く部位の配列が網膜神経線維走向を反映するものであるかどうかを判定する判定手段をさらに備えることを特徴とする適応光学眼底観察装置。
【請求項２】
前記配列が、前記判定手段により、網膜神経線維走向を反映するものであると判定された場合、前記配列を出力装置に強調表示する強調表示手段をさらに備えることを特徴とする請求項１に記載の適応光学眼底観察装置。
【請求項３】
適応光学を利用して眼底を観察する装置の作動方法であって、
網膜における神経細胞を欠く部位の配列が網膜神経線維走向を反映するものであるかどうかを判定する判定ステップをさらに有することを特徴とする適応光学眼底観察装置の作動方法。
【請求項４】
前記配列が、前記判定ステップにより、網膜神経線維走向を反映するものであると判定された場合、前記配列を出力装置に強調表示する強調表示ステップをさらに備えることを特徴とする請求項３に記載の適応光学眼底観察装置の作動方法。
【発明の詳細な説明】
【技術分野】
【０００１】本発明は、適応光学を利用して眼底を観察する装置に関する。
【背景技術】
【０００２】適応光学を利用して眼底を観察する装置であって、本発明のような手段をさらに備える物は従来にない。
【先行技術文献】
【非特許文献】
【０００３】
【非特許文献１】最新医学大辞典（１９８７、１９９０年）、医歯薬出版株式会社。
【発明の概要】
【発明が解決しようとする課題】
【０００４】適応光学を利用して眼底を観察する装置であって、
網膜における神経細胞を欠く部位の配列が網膜神経線維走向を反映するものであるかどうかを判定する判定手段をさらに備えることを特徴とする適応光学眼底観察装置を提供すること。【０００５】前記適応光学眼底観察装置において、
前記配列が、前記判定手段により、網膜神経線維走向を反映するものであると判定された場合、前記配列を出力装置に強調表示する強調表示手段をさらに備えることを特徴とする適応光学眼底観察装置を提供すること。
【課題を解決するための手段】
【０００６】請求項１に記載の発明は、
適応光学を利用して眼底を観察する装置であって、
網膜における神経細胞を欠く部位の配列が網膜神経線維走向を反映するものであるかどうかを判定する判定手段をさらに備えることを特徴とする適応光学眼底観察装置。【０００７】請求項２に記載の発明は、
前記配列が、前記判定手段により、網膜神経線維走向を反映するものであると判定された場合、前記配列を出力装置に強調表示する強調表示手段をさらに備えることを特徴とする請求項１に記載の適応光学眼底観察装置。【０００８】請求項３に記載の発明は、
適応光学を利用して眼底を観察する装置の作動方法であって、
網膜における神経細胞を欠く部位の配列が網膜神経線維走向を反映するものであるかどうかを判定する判定ステップをさらに有することを特徴とする適応光学眼底観察装置の作動方法。【０００９】請求項４に記載の発明は、
前記配列が、前記判定ステップにより、網膜神経線維走向を反映するものであると判定された場合、前記配列を出力装置に強調表示する強調表示ステップをさらに備えることを特徴とする請求項３に記載の適応光学眼底観察装置の作動方法。
【発明の効果】
【００１０】請求項１に記載の発明によれば、
適応光学を利用して眼底を観察する装置であって、
網膜における神経細胞を欠く部位の配列が網膜神経線維走向を反映するものであるかどうかを判定する判定手段をさらに備えることを特徴とする適応光学眼底観察装置であるので、網膜における神経細胞を欠く部位の配列が網膜神経線維走向を反映するものであるかどうかを判定することができる。【００１１】請求項２に記載の発明によれば、
前記配列が、前記判定手段により、網膜神経線維走向を反映するものであると判定された場合、前記配列を出力装置に強調表示する強調表示手段をさらに備えることを特徴とする請求項１に記載の適応光学眼底観察装置であるので、前記配列が、前記判定手段により、網膜神経線維走向を反映するものであると判定された場合、前記配列を出力装置に強調表示することができる。
【図面の簡単な説明】
【００１２】
【図１】本発明の実施形態を説明する模式図である。
【図２】本発明の実施形態を説明する模式図である。
【図３】本発明の実施形態を説明する模式図である。
【発明を実施するための形態】
【００１３】本発明実施形態について、図１〜図３を参照して説明する。
【００１４】請求項１に記載の発明は、
一般に知られる適応光学を利用して眼底を観察する装置であって、
網膜における神経細胞を欠く部位の配列（例えば、配列１、配列２、配列３、（視野欠損領域４）等）が網膜神経線維走向（例えば、走向７等）を反映するものであるかどうかを判定する判定手段８をさらに備えることを特徴とする適応光学眼底観察装置である。
【００１５】請求項１に記載の発明における配列の一例としての配列１とは、視野欠損領域４と盲点５との間に本発明適応光学眼底観察装置により検出される網膜における神経細胞を欠く部位の配列のことである。
【００１６】請求項１に記載の発明における配列の一例としての配列２とは、視野欠損領域４の近傍において本発明適応光学眼底観察装置により検出される網膜における神経細胞を欠く部位の配列のことである。（視野欠損領域４を含む場合があってもよい。）
【００１７】請求項１に記載の発明における配列の一例としての配列３とは、盲点５の周辺や近傍において本発明適応光学眼底観察装置により検出される網膜における神経細胞を欠く部位の配列のことである。
【００１８】請求項１に記載の発明における適応光学を利用して眼底を観察する装置とは、一般に知られる適応光学走査型レーザー検眼鏡（Ａｄａｐｔｉｖｅ  Ｏｐｔｉｃｓ  Ｓｃａｎｎｉｎｇ  Ｌａｓｅｒ  Ｏｐｈｔｈａｌｍｏｓｃｏｐｅ）や、一般に知られる適応光学ＯＣＴ（Ａｄａｐｔｉｖｅ  Ｏｐｔｉｃｓ  Ｏｐｔｉｃａｌ  Ｃｏｈｅｒｅｎｃｅ  Ｔｏｍｏｇｒａｐｈｙ）や、一般に知られる適応光学眼底カメラ等である。
（適応光学検眼鏡、適応光学顕微鏡等が含まれる場合があってもよい。）
【００１９】請求項１に記載の発明における網膜における神経細胞とは、光受容細胞（視細胞（錐体、桿体））や、神経節細胞や、双極細胞や、水平細胞や、アマクリン細胞等である。
（請求項１に記載の発明における網膜における神経細胞とは、錐体である場合があってもよい。）
（請求項１に記載の発明における網膜における神経細胞とは、神経節細胞である場合があってもよい。）
【００２０】請求項１に記載の発明における網膜における神経細胞を欠く部位とは、本発明適応光学眼底観察装置により検出される網膜における神経細胞に乏しい部位を含む場合があってもよい。
【００２１】請求項１に記載の発明における網膜における神経細胞を欠く部位とは、本発明適応光学眼底観察装置により検出される網膜における神経細胞からの反射信号に乏しい部位を含む場合があってもよい。
【００２２】請求項１に記載の発明における配列（例えば、配列１、配列２、配列３、（視野欠損領域４）等）とは、本発明適応光学眼底観察装置により検出される網膜における神経細胞を欠く部位から構成される領域の配列である場合があってもよい。
【００２３】請求項１に記載の発明における判定手段８は、一般に知られる適応光学を利用して眼底を観察する装置から取得される眼底画像に一般に知られる画像処理を付すことにより、
本発明適応光学眼底観察装置により検出される網膜における神経細胞を欠く部位から構成される（（（配列外）近傍との比較において相対的に）神経細胞に乏しい）領域の配列（例えば、配列１、配列２、配列３、（視野欠損領域４）等）を抽出して検出する手段をさらに備える場合があってもよい。
（その画像処理は、一般に知られる適応光学を利用して眼底を観察する装置から取得される眼底画像を細分し、細分された各区画内で神経細胞数あるいはピクセル強度等を平均した上で行われてもよい。）（その細分は、（毛細血管径以下の径を有する微細な配列の検出を容易にするために、）網膜における毛細血管径以下の細かさで行われてもよい。）
（あるいは、網膜における毛細血管径より大きい細分が行われる場合があってもよい。）画像処理とは、例えば、一般に知られる導関数によるエッジ処理や、フィルタリング等のことである。
局所的に同一的方向をとるエッジを抽出する手段をさらに備える場合があってもよい。
【００２４】請求項１に記載の発明における網膜神経線維走向（例えば、走向７等）とは、一般に知られる技術により被験者から検出された（本発明適応光学眼底観察装置の記憶装置に記憶されている）被験者の網膜神経線維走向であってもよい。
【００２５】請求項１に記載の発明における網膜神経線維走向（例えば、走向７等）とは、一般に知られる技術により取得されるデータに基づく、（本発明適応光学眼底観察装置の記憶装置に記憶されている）医学統計的、標準的、網膜神経線維走向であってもよい。
【００２６】請求項１に記載の発明における判定手段８は、
配列（例えば、配列１、配列２、配列３、視野欠損領域４、等）が網膜神経線維走向（例えば、走向７等）を反映するものであるかどうかに基づき緑内障性を判定する緑内障性判定手段をさらに備える場合があってもよい。
その場合における緑内障性とは、例えば、視野欠損領域４の緑内障性であってもよいし、配列１の緑内障性であってもよいし、配列２の緑内障性であってもよいし、配列３等の緑内障性であってもよい。
【００２７】請求項１に記載の発明における判定手段８は、配列（例えば、配列１、配列２、配列３、（視野欠損領域４）等）の網膜神経線維走向（例えば、走向７等）に沿った連続性を判定する網膜神経線維走向への連続性判定手段をさらに備える場合があってもよい。
【００２８】請求項１に記載の発明における判定手段８は、配列（例えば、配列１、配列２、配列３、視野欠損領域４等）の形状の網膜神経線維走向（例えば、走向７等）の形状との類似性を判定する形状類似性判定手段をさらに備える場合があってもよい。
【００２９】請求項２に記載の発明は、
前記配列（例えば、配列１、配列２、配列３、（視野欠損領域４）等）が、前記判定手段８により、網膜神経線維走向（例えば、走向７等）を反映するものであると判定された場合、前記配列（例えば、配列１、配列２、配列３、（視野欠損領域４）等）を（例えば前記配列が出力装置６の解像度以下となる超微細な配列である場合であっても出力装置６に表示できるように）出力装置６に（常に）強調表示する強調表示手段９をさらに備えることを特徴とする請求項１に記載の適応光学眼底観察装置である。
（本発明適応光学眼底観察装置の出力装置６は、一般に知られる適応光学を利用して眼底を観察する装置における出力装置であってもよい。
例えば、ＬＣＤ（Ｌｉｑｕｉｄ  Ｃｒｙｓｔａｌ  Ｄｉｓｐｌａｙ）、ＣＲＴ（Ｃａｔｈｏｄｅ  Ｒａｙ  Ｔｕｂｅ）、（有機ＥＬ、）等からなる表示デバイスであってよい。）
【００３０】請求項２に記載の発明における強調表示手段９とは、
前記配列（例えば、配列１、配列２、配列３、（視野欠損領域４）等）が、前記判定手段８により、網膜神経線維走向（例えば、走向７等）を反映するものであると判定された場合、前記配列（例えば、配列１、配列２、配列３、（視野欠損領域４）等）を前記視神経線維走向（例えば、走向７等）を示唆する表示形態で本発明適応光学眼底観察装置の出力装置６に強調表示する強調表示手段である場合があってもよい。
【符号の説明】
【００３１】１  配列
２  配列
３  配列
４  視野欠損領域
５  盲点
６  出力装置
７  走向
８  判定手段
９  強調表示手段
【図１】
2011200632.tif 000003
【図２】
2011200632.tif 000004
【図３】
2011200632.tif 000005